(57)【要約】【課題】トレイの保持面に垂れた液体が回路基板に到達する可能性を低減できる画像読取装置及び媒体搬送装置を提供する。【解決手段】画像読取装置１は、筐体３０と、筐体３０に設けられた媒体ＳＨを搬送方向に搬送する搬送部４０と、開放位置と閉鎖位置とに変位可能に筐体３０に支持され、開放位置において、筐体３０から搬送方向の上流側に少なくとも一部が離間し、媒体ＳＨを下側から保持する保持面３６Ｈを構成するトレイ３６と、筐体３０内に設けられた搬送部４０によってトレイ３６から搬送される媒体ＳＨの画像を読み取る読取部５５と、筐体３０の底面３０Ｂに沿って筐体３０内に設けられた搬送部４０及び読取部５５の少なくとも一方を制御する回路基板５４と、筐体３０内における回路基板５４の上側に設けられ、上方が開放された溝状に形成され、筐体３０とトレイ３６との間の隙間Ｓ１に下側から対向しつつ幅方向に延びる溝部１００とを備えている。【選択図】図５
2015048163.tif 000002
【特許請求の範囲】
【請求項１】
筐体と、
前記筐体に設けられ、媒体を搬送方向に搬送する搬送部と、
開放位置と閉鎖位置とに変位可能に前記筐体に支持され、前記開放位置において、前記筐体から前記搬送方向の上流側に少なくとも一部が離間し、媒体を下側から保持する保持面を構成するトレイと、
前記筐体内に設けられ、前記搬送部によって前記トレイから搬送される媒体の画像を読み取る読取部と、
前記筐体の底面に沿って前記筐体内に設けられ、前記搬送部及び前記読取部の少なくとも一方を制御する回路基板と、
前記筐体内における前記回路基板の上側に設けられ、上方が開放された溝状に形成され、前記筐体と前記トレイとの間の隙間に下側から対向しつつ前記搬送方向と直交する幅方向に延びる溝部とを備えていることを特徴とする画像読取装置。
【請求項２】
前記溝部は、前記幅方向において前記回路基板から離間する程低くなるように傾斜している請求項１記載の画像読取装置。
【請求項３】
前記筐体には、前記溝部の最も低い箇所の近傍と前記筐体の外部とを連通する排出部が形成されている請求項２記載の画像読取装置。
【請求項４】
前記筐体は、前記隙間の近傍で前記幅方向に延びる側面の少なくとも一部を構成する側壁を有し、
前記溝部は、前記側壁に設けられている請求項１又は２記載の画像読取装置。
【請求項５】
前記溝部は、前記幅方向において前記回路基板から離間する程低くなるように傾斜し、
前記側壁には、前記溝部の最も低い箇所の近傍と前記側面とを連通する第１排出孔が形成されている請求項４記載の画像読取装置。
【請求項６】
前記第１排出孔は、下向きに貫通するように前記側壁に形成されている請求項５記載の画像読取装置。
【請求項７】
前記第１排出孔は、前記回路基板よりも前記幅方向の外側に位置している請求項５又は６記載の画像読取装置。
【請求項８】
前記搬送部を駆動する駆動源をさらに備え、
前記筐体内における前記幅方向の一端側には、前記駆動源を収容する収容室が形成され、
前記第１排出孔は、前記収容室の後側に位置している請求項７記載の画像読取装置。
【請求項９】
前記トレイは、前記幅方向に延びる開閉軸心周りで揺動可能に前記筐体に支持され、前記閉鎖位置において、前記側壁とともに前記側面を構成し、
前記開閉軸心は、前記溝部の上側に位置している請求項４乃至８のいずれか１項記載の画像読取装置。
【請求項１０】
前記トレイは、前記保持面を形成する第１壁と、前記第１壁と対面し、内部に案内室を確保する第２壁と、前記第１壁及び前記第２壁と接続しつつ前記幅方向に延び、前記開放位置において、前記隙間に前記搬送方向の上流側から臨む第３壁とを有し、
前記第１壁には、前記幅方向に延び、前記案内室に開くレール穴が形成され、
前記案内室から前記保持面上に突出して前記幅方向に摺動可能に前記レール穴に設けられ、前記保持面に保持される媒体を前記幅方向において位置決めする規制部をさらに備え、
前記第３壁には、前記トレイが前記開放位置にある場合に、前記案内室と前記溝部の上側とを連通する第２排出孔が形成されている請求項１乃至９のいずれか１項記載の画像読取装置。
【請求項１１】
前記筐体は、前記隙間の近傍で前記幅方向に延びる側面の少なくとも一部を構成する側壁を有し、
前記側壁には、前記トレイの下側に位置し、かつ前記幅方向の長さが前記保持面より小さい導入口が形成され、
前記溝部は、前記導入口の上側に位置している請求項１乃至１０のいずれか１項記載の画像読取装置。
【請求項１２】
前記筐体は、前記隙間の近傍で前記幅方向に延びる側面の少なくとも一部を構成する側壁を有し、
前記側壁には、前記トレイの下側に位置し、前記回路基板と外部との電気的接続に用いられるコネクタが設けられ、
前記溝部は、前記コネクタの上側に位置している請求項１乃至１１のいずれか１項記載の画像読取装置。
【請求項１３】
筐体と、
前記筐体に設けられ、媒体を搬送方向に搬送する搬送部と、
開放位置と閉鎖位置とに変位可能に前記筐体に支持され、前記開放位置において、前記筐体から前記搬送方向の上流側に少なくとも一部が離間し、媒体を下側から保持する保持面を構成するトレイと、
前記筐体内に設けられ、前記搬送部によって前記トレイから搬送される媒体に所定の処理を行う処理部と、
前記筐体の底面に沿って前記筐体内に設けられ、前記搬送部及び前記処理部の少なくとも一方を制御する回路基板と、
前記筐体内における前記回路基板の上側に設けられ、上方が開放された溝状に形成され、前記筐体と前記トレイとの間の隙間に下側から対向しつつ前記搬送方向と直交する幅方向に延びる溝部とを備えていることを特徴とする媒体搬送装置。
【発明の詳細な説明】
【技術分野】
【０００１】
本発明は画像読取装置及び媒体搬送装置に関する。
【背景技術】
【０００２】
特許文献１に従来の画像読取装置の例が開示されている。この画像読取装置は、筐体と搬送部とトレイと読取部とを備えている。搬送部は、筐体に設けられている。搬送部は、媒体を搬送方向に搬送する。トレイは、開放位置と閉鎖位置とに変位可能に筐体に支持されている。トレイは、開放位置において、筐体から搬送方向の上流側に少なくとも一部が離間し、媒体を下側から保持する保持面を構成する。読取部は、筐体内に設けられている。読取部は、搬送部によってトレイから搬送される媒体の画像を読み取る。
【先行技術文献】
【特許文献】
【０００３】
【特許文献１】特開２００８−６８９８１号公報
【発明の概要】
【発明が解決しようとする課題】
【０００４】
ところで、上記従来の画像読取装置では、図示されていないが、搬送部及び読取部の少なくとも一方を制御する回路基板が筐体内に設けられる。その回路基板は、一般的に、筐体の底面に沿って配される。
【０００５】
媒体に対して画像形成等を行わずに媒体の画像の読み取りに特化した画像読取装置では、小型化により、筐体内における回路基板の設置スペースが小さくなる傾向にある。一方で、読み取り対象である用紙等の媒体のサイズは、規格化されている一般的な用紙サイズであることが多いため、トレイの保持面は、媒体を保持するためにある程度の面積を必要とする。そのため、トレイが開放位置にある場合、画像読取装置の筐体のサイズのうち、トレイが大きな割合を占める傾向にある。ここで、ユーザが画像読取装置に水等の液体をこぼしてしまう場合がある。トレイが大きな割合を占めるため、液体がトレイの保持面に垂れる可能性が高くなる。このため、トレイの保持面に垂れた液体が筐体とトレイとの間の隙間から筐体内に進入して回路基板に到達し易くなり、ひいては、回路基板にショート等の不具合が発生するおそれがある。
【０００６】
本発明は、トレイの保持面に垂れた液体が回路基板に到達する可能性を低減できる画像読取装置及び媒体搬送装置を提供することを目的とする。
【課題を解決するための手段】
【０００７】
本発明の画像読取装置は、筐体と、
前記筐体に設けられ、媒体を搬送方向に搬送する搬送部と、
開放位置と閉鎖位置とに変位可能に前記筐体に支持され、前記開放位置において、前記筐体から前記搬送方向の上流側に少なくとも一部が離間し、媒体を下側から保持する保持面を構成するトレイと、
前記筐体内に設けられ、前記搬送部によって前記トレイから搬送される媒体の画像を読み取る読取部と、
前記筐体の底面に沿って前記筐体内に設けられ、前記搬送部及び前記読取部の少なくとも一方を制御する回路基板と、
前記筐体内における前記回路基板の上側に設けられ、上方が開放された溝状に形成され、前記筐体と前記トレイとの間の隙間に下側から対向しつつ前記搬送方向と直交する幅方向に延びる溝部とを備えていることを特徴とする。
【０００８】
本発明の画像読取装置では、溝部が筐体内における回路基板の上側に設けられている。溝部は、上方が開放された溝状に形成されている。そして、溝部は、筐体とトレイとの間の隙間に下側から対向しつつ搬送方向と直交する幅方向に延びている。これにより、この画像読取装置では、トレイの保持面に垂れた液体が筐体とトレイとの間の隙間から筐体内に進入しても、その進入した液体を溝部内に溜めることができる。
【０００９】
したがって、本発明の画像読取装置では、トレイの保持面に垂れた液体が回路基板に到達する可能性を低減できる。ひいては、回路基板にショート等の不具合が発生し難い。
【００１０】
溝部は、幅方向において回路基板から離間する程低くなるように傾斜していることが望ましい。この構成によれば、溝部内に溜まる液体を回路基板から遠ざけることができる。
【００１１】
筐体には、溝部の最も低い箇所の近傍と筐体の外部とを連通する排出部が形成されていることが望ましい。この構成によれば、溝部内に溜まった液体を排出部を経由して筐体の外部に排出できる。
【００１２】
筐体は、隙間の近傍で幅方向に延びる側面の少なくとも一部を構成する側壁を有していることが望ましい。そして、溝部は、側壁に設けられていることが望ましい。この構成によれば、筐体に側壁を組み付けることにより、同時に筐体に溝部を設けることができる。その結果、組み付け作業の簡素化を実現できる。
【００１３】
溝部は、幅方向において回路基板から離間する程低くなるように傾斜していることが望ましい。そして、側壁には、溝部の最も低い箇所の近傍と側面とを連通する第１排出孔が形成されていることが望ましい。この構成によれば、溝部内に溜まる液体を回路基板から遠ざけ、さらに第１排出孔を経由して筐体の外部に排出できる。
【００１４】
第１排出孔は、下向きに貫通するように側壁に形成されていることが望ましい。この構成によれば、第１排出孔が横向きに貫通するように側壁に形成されている場合と比較して、溝部内に溜まった液体を確実に排出できるとともに、第１排出孔が目立たなくって筐体の外観品位が向上する。
【００１５】
第１排出孔は、回路基板よりも幅方向の外側に位置していることが望ましい。この構成によれば、回路基板よりも幅方向の外側で開口する第１排出孔により、溝部内に溜まる液体を回路基板から確実に隔離した状態で筐体の外部に排出できる。
【００１６】
本発明の画像読取装置は、搬送部を駆動する駆動源をさらに備えていることが望ましい。筐体内における幅方向の一端側には、駆動源を収容する収容室が形成されていることが望ましい。そして、第１排出孔は、収容室の後側に位置していることが望ましい。この構成によれば、収容室が形成されたことによって筐体の側面近傍に空いたスペースを利用して、第１排出孔を設けることができる。
【００１７】
トレイは、幅方向に延びる開閉軸心周りで揺動可能に筐体に支持され、閉鎖位置において、側壁とともに側面を構成することが望ましい。そして、開閉軸心は、溝部の上側に位置していることが望ましい。この構成によれば、開放位置にあるトレイに液体が垂れた後、その液体がトレイに残った状態でトレイが閉鎖位置に変位しても、その液体を溝部内に溜めることができる。
【００１８】
トレイは、保持面を形成する第１壁と、第１壁と対面し、内部に案内室を確保する第２壁と、第１壁及び第２壁と接続しつつ幅方向に延び、開放位置において、隙間に搬送方向の上流側から臨む第３壁とを有していることが望ましい。第１壁には、幅方向に延び、案内室に開くレール穴が形成されていることが望ましい。本発明の画像読取装置は、案内室から保持面上に突出して幅方向に摺動可能にレール穴に設けられ、保持面に保持される媒体を幅方向において位置決めする規制部をさらに備えていることが望ましい。そして、第３壁には、トレイが開放位置にある場合に、案内室と溝部の上側とを連通する第２排出孔が形成されていることが望ましい。この構成によれば、トレイの保持面に垂れた液体がレール穴からトレイの内部の案内室に進入しても、その進入した液体を第２排出孔から溝部内に排出することができる。
【００１９】
筐体は、隙間の近傍で幅方向に延びる側面の少なくとも一部を構成する側壁を有していることが望ましい。側壁には、トレイの下側に位置し、かつ幅方向の長さが保持面より小さい導入口が形成されていることが望ましい。そして、溝部は、導入口の上側に位置していることが望ましい。この構成によれば、トレイの保持面に垂れた液体が筐体とトレイとの間の隙間から筐体内に進入しても、溝部により、その進入した液体が導入口の近傍に到達する可能性を低減できる。
【００２０】
筐体は、隙間の近傍で幅方向に延びる側面の少なくとも一部を構成する側壁を有していることが望ましい。側壁には、トレイの下側に位置し、回路基板と外部との電気的接続に用いられるコネクタが設けられていることが望ましい。そして、溝部は、コネクタの上側に位置していることが望ましい。この構成によれば、トレイの保持面に垂れた液体が筐体とトレイとの間の隙間から筐体内に進入しても、溝部により、その進入した液体がコネクタに到達する可能性を低減できる。
【００２１】
本発明の媒体搬送装置は、筐体と、
前記筐体に設けられ、媒体を搬送方向に搬送する搬送部と、
開放位置と閉鎖位置とに変位可能に前記筐体に支持され、前記開放位置において、前記筐体から前記搬送方向の上流側に少なくとも一部が離間し、媒体を下側から保持する保持面を構成するトレイと、
前記筐体内に設けられ、前記搬送部によって前記トレイから搬送される媒体に所定の処理を行う処理部と、
前記筐体の底面に沿って前記筐体内に設けられ、前記搬送部及び前記処理部の少なくとも一方を制御する回路基板と、
前記筐体内における前記回路基板の上側に設けられ、上方が開放された溝状に形成され、前記筐体と前記トレイとの間の隙間に下側から対向しつつ前記搬送方向と直交する幅方向に延びる溝部とを備えていることを特徴とする。
【００２２】
本発明の媒体搬送装置では、本発明の画像読取装置と同様に、トレイの保持面に垂れた液体が回路基板に到達する可能性を低減できる。ひいては、回路基板にショート等の不具合が発生し難い。
【図面の簡単な説明】
【００２３】
【図１】実施例１の画像読取装置に係り、トレイが開放位置にある状態の主に前方を示す斜視図である。
【図２】実施例１の画像読取装置に係り、トレイが閉鎖位置にある状態の主に後方を示す斜視図である。
【図３】実施例１の画像読取装置に係り、トレイが閉鎖位置にある状態の主に前方を示す斜視図である。
【図４】実施例１の画像読取装置に係り、トレイが開放位置にある状態を示す模式上面図である。
【図５】実施例１の画像読取装置に係り、図４のＡ−Ａ断面を示す断面図である。
【図６】実施例１の画像読取装置に係り、図４のＢ−Ｂ断面であって、トレイが閉鎖位置にある状態を示す断面図である。
【図７】実施例１の画像読取装置に係り、（ａ）は後壁の正面図であり、（ｂ）は（ａ）のＣ−Ｃ断面を示す部分断面図である。
【図８】実施例１の画像読取装置に係り、（ａ）はトレイの部分斜視図であり、（ｂ）はトレイの第３壁を示す斜視図である。
【図９】実施例２の画像読取装置に係り、図５と同様の断面を示す断面図である。
【発明を実施するための形態】
【００２４】
以下、本発明を具体化した実施例１、２を図面を参照しつつ説明する。
【００２５】
（実施例１）
図１に示すように、実施例１の画像読取装置１は、本発明の画像読取装置及び媒体搬送装置の具体的態様の一例である。図１では、排出口１３側を装置の前側と規定し、排出口１３に対向した場合に左手に来る側を左側と規定して、前後、左右及び上下の各方向を表示する。そして、図２以降に示す各方向は、全て図１に示す各方向に対応させて表示する。以下、図１等に基づいて、画像読取装置１が備える各構成要素について説明する。
【００２６】
＜全体構成＞
図１〜図６に示すように、画像読取装置１は、筐体３０と、トレイ３６とを備えている。筐体３０は、第１筐体３１と第２筐体３２とを有している。
【００２７】
第１筐体３１は、第２筐体３２の上側に位置している。第１筐体３１と第２筐体３２とは、上下方向の間隔を有して互いに対向している。第２筐体３２は、第１側壁部３３Ｒと第２側壁部３３Ｌとを有している。第１側壁部３３Ｒは、第２筐体３２の右側面を構成している。第２側壁部３３Ｌは、第２筐体３２の左側面を構成している。第１側壁部３３Ｒと第２側壁部３３Ｌとは、上側に延びて第１筐体３１を左右方向の外側から挟んでいる。
【００２８】
図１、図５及び図６に示すように、第１筐体３１は、上面３１Ａ、前面３１Ｂ及び上側案内面３１Ｇを有している。上面３１Ａは、上側を向く平面である。上面３１Ａは、後側から前側に向かって下り傾斜している。上面３１Ａの中央には、タッチパネル７０が設けられている。前面３１Ｂは、前側を向く平面である。前面３１Ｂは、上面３１Ａの前端縁に連続し、下側に向かって垂直に延びている。上側案内面３１Ｇは、下側を向く屈曲平面である。上側案内面３１Ｇは、上面３１Ａの後端縁の下側から前側に向かって下り傾斜している。上側案内面３１Ｇは、第１筐体３１における前後方向の略中央において水平に向きを変える。上側案内面３１Ｇは、前側に向かって略水平に延びて、前面３１Ｂの下端縁３１ＢＡに連続している。
【００２９】
図１、図２、図５及び図６に示すように、第２筐体３２は、前面３２Ｂ、下側案内面３２Ｇ及び後面３２Ｃを有している。前面３２Ｂは、前側を向く平面である。前面３２Ｂの上端縁３２ＢＡは、前面３１Ｂの下端縁３１ＢＡに対して、隙間を有して下側に離間している。前面３２Ｂは、下側に向かって垂直に延びている。下側案内面３２Ｇは、上側を向く屈曲平面である。下側案内面３２Ｇは、後面３２Ｃの上端縁の上側から上側案内面３１Ｇに沿うように、前側に向かって下り傾斜している。下側案内面３２Ｇは、第２筐体３２における前後方向の中央において水平に向きを変える。下側案内面３２Ｇは、前側に向かって水平に延びて、前面３２Ｂの上端縁３２ＢＡに連続している。
【００３０】
後面３２Ｃは、後側を向く平面である。後面３２Ｃは、下側に向かって略垂直に延びている。第２筐体３２は、図２、図５〜図７に示すように、後壁３４を有している。後壁３４は、本発明の「側壁」の一例である。後壁３４は、左右方向に延びて、その左右両端部が第１側壁部３３Ｒ及び第２側壁部３３Ｒの後端縁に連結されている。後面３２Ｃは、後壁３４の外面によって形成されている。後面３２Ｃは、筐体３０の後面の一部を構成している。
【００３１】
図６に示すように、第２筐体３２は、下側カード案内面３２Ｊ及び上側カード案内面３２Ｈを有している。下側カード案内面３２Ｊは、下側案内面３２Ｇの水平部分における右端部に連続し、後側に向かって水平に延びて後面３２Ｃまで達している。上側カード案内面３２Ｈは、下側カード案内面３２Ｊに対して上側に離間している。上側カード案内面３２Ｈは、下側カード案内面３２Ｊと平行に、後側に向かって水平に延びて後面３２Ｃまで達している。上側カード案内面３２Ｈの上下方向の位置は、上側案内面３１Ｇの水平部分の上下方向の位置とほぼ同じである。
【００３２】
なお、上側案内面３１Ｇ、下側案内面３２Ｇ、上側カード案内面３２Ｈ及び下側カード案内面３２Ｊは、平滑な平面からなる構成に限定されず、複数のリブの先端縁等によって構成されていてもよい。
【００３３】
図４及び図６に示すように、下側カード案内面３２Ｊが下側案内面３２Ｇの水平部分における右端部に連続する位置を合流位置Ｊ１とする。
【００３４】
図１及び図４〜図６に示すように、筐体３０には、第１導入口１１と排出口１３とが形成されている。第１導入口１１に、シートＳＨが挿入される。シートＳＨは、例えば、用紙やＯＨＰシート等である。シートＳＨは、本発明の「媒体」の一例である。シートＳＨは、例えば、幅の広いものではレターサイズやＡ４サイズの用紙等であり、幅の狭いものでは葉書等である。なお、幅の狭い名刺やカード等については、屈曲平面である上側案内面３１Ｇ及び下側案内面３２Ｇに沿って案内されることが可能な程度に薄く曲り易い場合には、シートＳＨに含まれ得る。
【００３５】
より詳しくは、図５に示すように、第１導入口１１は、第１筐体３１と第２筐体３２との間に形成されている。第１導入口１１は、上側案内面３１Ｇの後端縁３１ＧＡと、下側案内面３２Ｇの後端縁３２ＧＡとの隙間である。図１に示すように、第１導入口１１は、右側の第１側壁部３３Ｒの近傍から左側の第２側壁部３３Ｌの近傍まで、左右方向に延びている。第１導入口１１の左右方向の長さは、シートＳＨの幅よりも長く設定されている。
【００３６】
図１及び図５に示すように、排出口１３からシートＳＨが排出される。排出口１３は、第１筐体３１と第２筐体３２との間に形成されている。より詳しくは、排出口１３は、前面３１Ｂの下端縁３１ＢＡと、前面３２Ｂの上端縁３２ＢＡとの隙間である。排出口１３は、右側の第１側壁部３３Ｒの近傍から左側の第２側壁部３３Ｌの近傍まで、左右方向に延びている。排出口１３の左右方向の長さは、第１導入口１１と同様、シートＳＨの幅よりも長く設定されている。
【００３７】
図４〜図６に示すように、画像読取装置１は、第１ガイド部１０を備えている。第１ガイド部１０は、第１筐体３１の上側案内面３１Ｇと、第２筐体３２の下側案内面３２Ｇとに上下方向から挟まれてなる通路である。第１ガイド部１０は、図４〜図６に示す第１搬送経路Ｐ１を形成している。第１ガイド部１０は、第１搬送経路Ｐ１に沿って、シートＳＨを後側の第１導入口１１から前側の排出口１３へ案内する。本実施例では、搬送方向は、後側から前側に向かう方向である。また、搬送方向に直交する幅方向は、左右方向である。
【００３８】
図５及び図６に示すように、第１ガイド部１０は、第１導入口１１から前側に向かって下り傾斜している。そして、第１ガイド部１０は、筐体３０における前後方向の中央において屈曲して前側に向きを変更し、排出口１３まで水平に延びている。
【００３９】
図２、図４及び図６に示すように、筐体３０には、第２導入口１２が形成されている。第２導入口１２は、本発明の「導入口」の一例である。第２導入口１２に、幅の狭いカードＣＡが挿入される。カードＣＡは、小面積の枚葉である。カードＣＡは、例えば、名刺、キャッシュカード、会員証又は免許証等である。カードＣＡも、本発明の「媒体」の一例である。
【００４０】
より詳しくは、図６に示すように、第２導入口１２は、第２筐体３２の後壁３４に貫通して形成されている。第２導入口１２は、後面３２Ｃにおける上下方向の中間部、かつ右側の第１側壁部３３Ｒ側に開口している。第２導入口１２は、左右方向に延びている。第２導入口１２の左右方向の長さは、第１導入口１１の左右方向の長さよりも小さく形成されている。また、第２導入口１２の左右方向の長さは、カードＣＡの幅よりも長く設定されている。第２導入口１２の上下方向の位置は、第１ガイド部１０の水平部分及び排出口１３の上下方向の位置とほぼ同じである。第２導入口１２は、第１導入口１１の右端側と上下方向において重なる位置にある。
【００４１】
図３及び図６に示すように、排出口１３の右端側から、カードＣＡが排出される。要するに、排出口１３からは、第１導入口１１から挿入されたシートＳＨ及び第２導入口１２から挿入されたカードＣＡが共通して排出される。
【００４２】
図４及び図６に示すように、画像読取装置１は、第２ガイド部２０を備えている。第２ガイド部２０は、第２筐体３２の上側カード案内面３２Ｈと下側カード案内面３２Ｊとに上下方向から挟まれてなる通路である。第２ガイド部２０は、合流位置Ｊ１において、第１ガイド部１０に合流する。
【００４３】
第２ガイド部２０が第１ガイド部１０に合流する合流位置Ｊ１は、上側案内面３１Ｇ及び下側案内面３２Ｇの前側から後側に向かって下り傾斜する部分から水平に向きを変える屈曲部分に設定されている。
【００４４】
図４に示すように、第１ガイド部１０の右端側において、第２ガイド部２０の左右方向の幅と同じ幅で合流位置Ｊ１から排出口１３まで延びる領域をカード搬送領域２９とする。第２ガイド部２０と、カード搬送領域２９とは、図４及び図６に示す第２搬送経路Ｐ２を形成している。第２搬送経路Ｐ２は、後側の第２導入口１２から前側の排出口１３の右端側まで水平に延びている。
【００４５】
第２ガイド部２０は、第２導入口１２から挿入されたカードＣＡを第２搬送経路Ｐ２に沿って第１ガイド部１０に合流するように案内する。そして、第１ガイド部１０のカード搬送領域２９は、そのカードＣＡを第２搬送経路Ｐ２に沿って排出口１３の右端側へ案内する。
【００４６】
図１〜図３等に示すように、トレイ３６は、基部３６Ａ、中間部３６Ｂ及び先端部３６Ｃを有している。基部３６Ａは、左右方向に延びる開閉軸心Ｘ３６Ａ周りに揺動可能に第１側壁部３３Ｒ及び第２側壁部３３Ｌに支持されている。中間部３６Ｂは、基部３６Ａの開閉軸心Ｘ３６Ａから遠い端縁側において、基部３６Ａに連結されている。先端部３６Ｃは、中間部３６Ｂの基部３６Ａから遠い端縁側において、中間部３６Ｂに連結されている。中間部３６Ｂの中央には、操作開口３９が矩形状に開口している。
【００４７】
トレイ３６が図１、図４及び図５に示す開放位置にある状態では、基部３６Ａ、中間部３６Ｂ及び先端部３６Ｃが下側案内面３２Ｇの傾斜部分に連続するように後側に向かって上り傾斜し、第１導入口１１を開放している。一方、トレイ３６が図２、図３及び図６に示す閉鎖位置にある状態では、基部３６Ａが垂直になって第２筐体３２の後面３２Ｃと面一になる。中間部３６Ｂが第１筐体３１の上面３１Ａを上側から覆う。先端部３６Ｃが第１筐体３１の前面３１Ｂを前側から覆う。つまり、トレイ３６は、開放位置と閉鎖位置とに変位可能に筐体３０に支持されている。
【００４８】
図２及び図３に示すように、トレイ３６が閉鎖位置にある状態において、操作開口３９は、タッチパネル７０を外部に露出させている。
【００４９】
図４及び図５に示すように、トレイ３６が開放位置にある状態において、基部３６Ａは、第１側壁部３３Ｒ及び第２側壁部３３Ｌに支持された部分を除いて、第２筐体３２における下側案内面３２Ｇの後端縁３２ＧＡから後側に離間している。要するに、基部３６Ａは、後端縁３２ＧＡから搬送方向の上流側に少なくとも一部が離間している。この状態において、第２筐体３２の後端縁３２ＧＡと、基部３６Ａの後端縁３２ＧＡから離間している少なくとも一部との間に形成される隙間をＳ１とする。隙間Ｓ１は、第１側壁部３３Ｒの近傍から第２側壁部３３Ｌの近傍まで左右方向に延びている。
【００５０】
図５、図６及び図８に示すように、基部３６Ａは、第１壁３６１と第２壁３６２と第３壁３６３とを有している。
【００５１】
第１壁３６１は、トレイ３６が開放位置にある状態において、基部３６Ａの最も上側に位置している。この状態では、第１壁３６１の上側を向く面は、下側案内面３２Ｇの傾斜部分に連続するように後側に向かって上り傾斜し、保持面３６Ｈを構成している。また、中間部３６Ｂ及び先端部３６Ｃの上側を向く面も、第１壁３６１とともに保持面３６Ｈを構成している。ユーザがトレイ３６に１枚又は複数枚のシートＳＨを載置すると、保持面３６ＨがそのシートＳＨを下側から保持する。
【００５２】
図２及び図６に示すように、トレイ３６の基部３６Ａに対して、第２導入口１２は下側に位置している。図４に示すように、保持面３６Ｈの左右方向の長さに対して、第２導入口１２の左右方向の長さが小さい。
【００５３】
第２壁３６２は、トレイ３６が開放位置にある状態において、第１壁３６１に下側から対面している。図８（ａ）及び（ｂ）に示すように、第２壁３６２の左端縁と、右端縁と、開閉軸心Ｘ３６Ａから離間した位置で左右方向に延びる端縁とは、第１壁３６１の左端縁と、右端縁と、開閉軸心Ｘ３６Ａから離間した位置で左右方向に延びる端縁とを囲うように、第１壁３６１に向かって突出している。第１壁３６１と第２壁３６２とは、双方の各端縁に形成された図示しない嵌合部同士が嵌合することにより、一体に結合されている
【００５４】
図５、図６及び図８（ｂ）に示すように、第２壁３６２は、内部に案内室３６２Ａを確保している。図５、図６及び図８（ａ）に示すように、第１壁３６１には、左右一対のレール穴３６１Ｈが形成されている。各レール穴３６１Ｈは左右方向に延び、案内室３６２Ａに開いている。
【００５５】
図８（ｂ）に示すように、第２壁３６２には、複数本のリブ３６２Ｒが形成されている。各リブ３６２Ｒは、案内室３６２Ａ内で第１壁３６１に向かって突出している。各リブ３６２Ｒは、案内室３６２Ａ内に閉鎖空間を形成しないように、所々で切り欠かれている。
【００５６】
図６に示すように、第２壁３６２は、トレイ３６が閉鎖位置にある状態で、第２筐体３２の後面３２Ｃとともに、筐体３０の後面を構成している。筐体３０の後面は、本発明の「隙間の近傍で幅方向に延びる側面」の一例である。
【００５７】
図５、図６及び図８（ａ）に示すように、第３壁３６３は、第１壁３６１に一体に形成されている。第３壁３６３は、第１壁３６１の開閉軸心Ｘ３６Ａに接近した位置で左右方向に延びる端縁から第２壁３６２に向かって屈曲している。第３壁３６３の先端縁は、第２壁３６２の開閉軸心Ｘ３６Ａに接近した位置で左右方向に延びる端縁に付き当たって接続している。また、第３壁３６３は、左右方向に延びている。図５に示すように、第３壁３６３は、トレイ３６が開放位置にある状態で、隙間Ｓ１に後側から、すなわち、搬送方向の上流側から臨む。
【００５８】
図５、図６及び図８（ａ）に示すように、第３壁３６３には、複数個の第２排出孔３６３Ｈが貫通して形成されている。各第２排出孔３６３Ｈは、案内室３６２Ａに連通している。図５に示すように、各第２排出孔３６３Ｈは、トレイ３６が開放位置にある場合に、案内室３６２Ａと隙間Ｓ１とを連通する。
【００５９】
図１、図５及び図８（ａ）に示すように、画像読取装置１は、左右一対の規制部３６Ｇを備えている。各規制部３６Ｇは、左右方向に摺動可能に各レール穴３６１Ｈに設けられている。各規制部３６Ｇは、案内室３６２Ａから保持面３６Ｈ上に突出している。各規制部３６Ｇは、案内室３６２Ａ内に配された図示しないラック＆ピニオン機構に連結されている。各規制部３６Ｇは、トレイ３６の保持面３６Ｈに保持されるシートＳＨを左右方向の外側から挟んで左右方向の位置決めを行う。この際、各規制部３６Ｇは、ラック＆ピニオン機構によって連動し、第１導入口１１における左右方向の中央基準でシートＳＨを位置決めする。
【００６０】
図４〜図６に示すように、画像読取装置１は、回路基板５４とコネクタ５９Ａ、５９Ｂ、５９Ｃと駆動源４０Ｍと搬送部４０と読取部５５とを備えている。読取部５５は、本発明の「処理部」の一例である。
【００６１】
図５及び図６に示すように、回路基板５４は、第２筐体３２内の下側に収容されている。回路基板５４は、筐体３０の底面３０Ｂに沿うように、第２筐体３２の前面３２Ｂの近傍から後面３２Ｃの近傍まで、前後方向に延びている。図２及び図４に示すように、回路基板５４は、筐体３０の底面３０Ｂに沿うように左右方向に延びている。回路基板５４の右端縁５４Ｒは、右側の第１側壁部３３Ｒの近傍に位置している。回路基板５４の左端縁５４Ｌは、左側の第２側壁部３３Ｌ及び駆動源４０Ｍの近傍に位置している。回路基板５４上には、ＣＰＵ、ＲＯＭ及びＲＡＭ等の制御回路が搭載されている。
【００６２】
図２に示すように、コネクタ５９Ａ、５９Ｂ、５９Ｃは、後壁３４に取り付けられている。コネクタ５９Ａ、５９Ｂ、５９Ｃの嵌合部分は、第２筐体３２の後面３２Ｃに露出している。コネクタ５９Ａ、５９Ｂ、５９Ｃは、トレイ３６の基部３６Ａの下側に位置している。図５及び図６に示すように、コネクタ５９Ａ、５９Ｂ、５９Ｃは、第２筐体３２内において電気配線により回路基板５４と接続されている。コネクタ５９Ａ、５９Ｂは、回路基板５４と外部の情報処理装置や不揮発性記録媒体等とを電気的に接続して、情報の送受信を行うためのものであり、例えばＵＳＢコネクタ等である。コネクタ５９Ｃは、回路基板５４と外部のＡＣアダプタとを電気的に接続して、家庭用コンセント等から電力の供給を受けるためのものである。
【００６３】
図４に示すように、第２筐体３２の左端側には、収容室３２Ｍが形成されている。収容室３２Ｍは、左側の第２側壁部３３Ｌに沿うように前後方向に延びる空間を区画している。
【００６４】
図４に示すように、駆動源４０Ｍは、収容室３２Ｍに収容されている。駆動源４０Ｍは、モータ及び伝達ギヤ群を有している。駆動源４０Ｍは、そのモータが回路基板５４に制御されることにより、駆動力を発生する。
【００６５】
図４〜図６に示すように、搬送部４０は、分離ローラ４８、分離パッド４９、上流側搬送部４１及び下流側搬送部４２を有している。読取部５５は、第１読取部５５Ａ及び第２読取部５５Ｂを有している。これらは、第１ガイド部１０において、後側から前側から向かって、すなわち搬送方向の上流側から下流側に向かって、分離ローラ４８及び分離パッド４９、上流側搬送部４１、第２読取部５５Ｂ、第１読取部５５Ａ、下流側搬送部４２という順番で配されている。また、分離ローラ４８及び分離パッド４９は、合流位置Ｊ１よりも第１導入口１１側に配され、上流側搬送部４１、第２読取部５５Ｂ、第１読取部５５Ａ及び下流側搬送部４２は、合流位置Ｊ１よりも排出口１３側に配されている。以下、この順番で、これらの構成を説明する。
【００６６】
図４及び図５に示すように、分離ローラ４８は、第２筐体３２内に回転可能に支持されている。分離ローラ４８の上部は、下側案内面３２Ｇの傾斜部分から第１ガイド部１０に露出している。分離ローラ４８は、第１ガイド部１０における左右方向の中央部に配されている。
【００６７】
分離ローラ４８は、回路基板５４が駆動源４０Ｍを制御することにより、駆動源４０Ｍに回転駆動される。分離ローラ４８は、トレイ３６に載置されたシートＳＨに当接しつつ回転することにより、そのシートＳＨを第１ガイド部１０に送り出す。
【００６８】
図５に示すように、分離パッド４９は、第１筐体３１に組み付けられている。分離パッド４９は、上側案内面３１Ｇにおいて第１ガイド部１０に露出している。分離パッド４９は、ゴムやエラストマー等の摩擦部材からなる板状体である。分離パッド４９は、図示しない付勢部材に付勢されて、分離ローラ４８に押し付けられている。これにより、分離ローラ４８と分離パッド４９とは、第１ガイド部１０において搬送されるシートＳＨを挟んで一枚ずつ分離し得る。
【００６９】
図４〜図６に示すように、上流側搬送部４１は、第１搬送ローラ対４１Ａ、４１Ｂと、第２搬送ローラ対４１Ｄとを備えている。第１搬送ローラ対４１Ａ、４１Ｂ及び第２搬送ローラ対４１Ｄは、搬送方向において同じ位置に配されている。第１搬送ローラ対４１Ａ、４１Ｂ及び第２搬送ローラ対４１Ｄはそれぞれ、駆動源４０Ｍに駆動されて回転する駆動ローラと、その駆動ローラと対向する従動ローラとからなる。
【００７０】
第１搬送ローラ対４１Ａ、４１Ｂは、カード搬送領域２９の外側に位置している。第１搬送ローラ対４１Ａ、４１Ｂは、第１ガイド部１０においてシートＳＨをニップして搬送する。第２搬送ローラ対４１Ｄは、カード搬送領域２９の内側に位置している。第２搬送ローラ対４１Ｄは、第１ガイド部１０のカード搬送領域２９においてカードＣＡをニップして搬送する。また、第２搬送ローラ対４１Ｄは、シートＳＨがカード搬送領域２９を通過する程度に幅が広い場合に、そのシートＳＨをニップして搬送する。
【００７１】
第２読取部５５Ｂは、第２筐体３２に組み付けられている。より具体的には、第２読取部５５Ｂは、Ｃｏｎｔａｃｔ  Ｉｍａｇｅ  Ｓｅｎｓｏｒ（以後、「ＣＩＳ」と略す）、ＣＩＳホルダ及びコンタクトガラス等を備える。第２読取部５５Ｂの上面は、下側案内面３２Ｇの水平部分において第１ガイド部１０に露出している。
【００７２】
第１読取部５５Ａは、第１筐体３１に組み付けられている。より具体的には、第１読取部５５Ａは、ＣＩＳ、ＣＩＳホルダ及びコンタクトガラス等を備える。第１読取部５５Ａの下面は、上側案内面３１Ｇの水平部分において第１ガイド部１０に露出している。
【００７３】
図４に示すように、第１読取部５５Ａ及び第２読取部５５Ｂは、右側の第１側壁部３３Ｒの近傍から、左側の第２側壁部３３Ｌの近傍まで左右方向に延びている。図４〜図６に示すように、第１読取部５５Ａ及び第２読取部５５Ｂは、カード搬送領域２９を含む第１ガイド部１０全体を上下方向から挟むように対向している。
【００７４】
上記構成により、第１読取部５５Ａ及び第２読取部５５Ｂは、シートＳＨが第１ガイド部１０において搬送される場合、そのシートＳＨの両面の画像を読み取る。また、第１読取部５５Ａ及び第２読取部５５Ｂは、第２ガイド部２０に案内されて第１ガイド部１０に合流したカードＣＡがカード搬送領域２９において搬送される場合、そのカードＣＡの両面の画像を読み取る。
【００７５】
図４〜図６に示すように、下流側搬送部４２は、第１搬送ローラ対４２Ａ、４２Ｂ、４２Ｃと、第２搬送ローラ対４２Ｄとを備えている。第１搬送ローラ対４２Ａ、４２Ｂ、４２Ｃ及び第２搬送ローラ対４２Ｄは、搬送方向において同じ位置に配されている。第１搬送ローラ対４２Ａ、４２Ｂ、４２Ｃ及び第２搬送ローラ対４２Ｄはそれぞれ、駆動源４０Ｍに駆動されて回転する駆動ローラと、その駆動ローラと対向する従動ローラとからなる。
【００７６】
第１搬送ローラ対４２Ａ、４２Ｂ、４２Ｃは、カード搬送領域２９の外側に位置している。第１搬送ローラ対４２Ａ、４２Ｂ、４２Ｃは、第１ガイド部１０において搬送されるシートＳＨをニップして回転し、シートＳＨを排出口１３から筐体３０の外部に排出する。第２搬送ローラ対４２Ｄは、カード搬送領域２９の内側に位置している。第２搬送ローラ対４２Ｄは、カード搬送領域２９において画像が読み取られたカードＣＡをニップして回転し、カードＣＡを排出口１３の右端側から筐体３０の外部に排出する。また、第２搬送ローラ対４２Ｄは、シートＳＨがカード搬送領域２９を通過する程度に幅が広い場合に、そのシートＳＨをニップして排出口１３から筐体３０の外部に排出する。
【００７７】
図１及び図５に示すように、タッチパネル７０は、第１筐体３１の内部における上面３１Ａ側に組み付けられている。タッチパネル７０は、上面３１Ａにくり抜かれた矩形状のタッチパネル用開口３１Ｈにより外部に露出している。タッチパネル７０は、液晶パネルと、液晶パネルの背面側から光を照射する蛍光ランプやＬＥＤ等の光源と、液晶パネルの表面に貼り合わされた接触感知膜とを有している。
【００７８】
タッチパネル７０は、回路基板５４に制御されて、画像読取動作の処理状況やエラー状況等である画像読取装置１の稼働状況等を表示する。また、タッチパネル７０は、外部からの操作を受け付ける。具体的には、タッチパネル７０は、例えば、画像読取を開始するためのボタンや、設定入力用のボタン等の各種のボタンを表示する。そして、ユーザがいずれかのボタンに対応する処理の実行指示や設定入力を行うために、タッチパネル７０に触れると、タッチパネル７０は、その操作を受け付けて、回路基板５４に伝達する。
【００７９】
＜シート及びカードの画像読取動作＞
この画像読取装置１では、以下のようにして、シートＳＨ及びカードＣＡの画像が読み取られる。
【００８０】
図１及び図５に示すように、シートＳＨの画像が読み取られる場合、ユーザにより、トレイ３６が開いた状態とされる。トレイ３６が開いた状態であれば、その状態が維持される。そして、ユーザにより、トレイ３６にシートＳＨが載置される。回路基板５４は、タッチパネル７０からシートＳＨの読取指示があった場合や、外部の情報処理装置からコネクタ５９Ａ、５９Ｂを介してシートＳＨの読取指示を受けた場合等に、図示しないシート検出センサによってトレイ３６の保持面３６ＨにシートＳＨが保持されていることを確認した上で、シートＳＨの画像読取動作を開始する。
【００８１】
そうすると、回路基板５４は、駆動源４０Ｍに駆動力を発生させるように制御する。これにより、まず、分離ローラ４８が分離パッド４９とシートＳＨを挟みながら回転する。分離ローラ４８は、トレイ３６上のシートＳＨを第１導入口１１から導入し、シートＳＨを第１ガイド部１０に送り出す。この際、複数枚のシートＳＨが重なった状態で搬送されようとしている場合、分離パッド４９とシートＳＨとの間の摩擦力などにより、シートＳＨが一枚ずつ分離され得る。
【００８２】
次に、上流側搬送部４１の第１搬送ローラ対４１Ａ、４１Ｂ及び第２搬送ローラ対４１Ｄによって、分離ローラ４８に送り出されたシートＳＨを第１ガイド部１０において搬送する。第１ガイド部１０において搬送されるシートＳＨの両面の画像が第１読取部５５Ａ及び第２読取部５５Ｂにより読み取られる。画像が読み取られたシートＳＨは、下流側搬送部４２の第１搬送ローラ対４２Ａ、４２Ｂ、４２Ｃ及び第２搬送ローラ対４２Ｄによって、排出口１３から筐体３０の外部に排出される。
【００８３】
一方、図２、図３及び図６に示すように、カードＣＡの画像が読み取られる場合、ユーザにより、トレイ３６が閉じた状態とされる。トレイ３６が閉じた状態であれば、その状態が維持される。そして、図２に示すように、ユーザにより、カードＣＡが筐体３０の後側から第２導入口１２に差し込まれる。そうすると、カードＣＡは、第２ガイド部２０を通過し、その先端がカード搬送領域２９に到達する。回路基板５４は、タッチパネル７０からカードＣＡの読取指示があった場合や、外部の情報処理装置からコネクタ５９Ａ、５９Ｂを介してカードＣＡの読取指示を受けた場合等に、図示しないカード検出センサによって第２導入口１２からカードＣＡが挿入されていることを確認した上で、カードＣＡの画像読取動作を開始する。
【００８４】
そうすると、回路基板５４は、駆動源４０Ｍに駆動力を発生させるように制御する。これにより、上流側搬送部４１の第２搬送ローラ対４１Ｄによって、カード搬送領域２９においてカードＣＡを搬送する。カード搬送領域２９において搬送されるカードＣＡの両面の画像が第１読取部５５Ａ及び第２読取部５５Ｂにより読み取られる。図３に示すように、画像が読み取られたカードＣＡは、下流側搬送部４２の第２搬送ローラ対４２Ｄによって、排出口１３の右端側から筐体３０の外部に排出される。
【００８５】
＜溝部の構成＞
図５〜図７に示すように、画像形成装置１は、溝部１００を備えている。溝部１００は、後壁３４に設けられている。より詳しくは、後壁３４を熱可塑性樹脂の射出成型等によって製造する際に後壁３４の前側を向く面に一体成形されている。
【００８６】
溝部１００は、底壁部１００Ｂと溝壁１００Ａと有している。底壁部１００Ｂは、後壁３４の前側を向く面から前側に向けて突出し、かつ左右方向に延びている。溝壁１００Ａは、底壁部１００Ｂの前端縁に連続して形成されている。溝壁１００Ａは、底壁部１００Ｂの前端縁から屈曲して上側に突出し、かつ左右方向に延びている。溝部１００は、後壁３４の前側を向く面と、底壁部１００Ｂの上側を向く面と、溝壁１００Ａの後側を向く面とによって、上方が開放された溝状に形成されている。
【００８７】
図５及び図６に示すように、底壁部１００Ｂ及び溝壁１００Ａは、回路基板５４の上側に位置している。溝部１００は、筐体３０とトレイ３６との間の隙間Ｓ１に下側から対向しつつ左右方向に延びている。基部３６Ａの開閉軸心Ｘ３６Ａは、溝部１００の上側に位置している。図５に示すように、各第２排出孔３６３Ｈは、トレイ３６が開放位置にある場合に案内室３６２Ａと隙間Ｓ１とを連通することによって、案内室３６２Ａと溝部１００の上側とを連通する。また、図６に示すように、トレイ３６が閉鎖位置にある場合にも、第３壁３６３が溝部１００の上側に位置し、各第２排出孔３６３Ｈが案内室３６２Ａと溝部１００の上側とを連通する。
【００８８】
図７に示すように、底壁部１００Ｂの右端側は、第２導入口１２の上端縁に沿って水平に延びている。底壁部１００Ｂは、第２導入口１２より左側において、コネクタ５９Ａ、５９Ｂ、５９Ｃの上側で下り傾斜している。底壁部１００Ｂの左端側は、左側の第２側壁部３３Ｌの近傍まで延びている。底壁部１００Ｂの左端側は、底壁部１００Ｂ全体の中で最も低くなっている。図７に示す底壁部１００Ｂの最も低い箇所１００Ｃは、図４に示す回路基板５４の左端縁５４Ｌより左側に離間している。要するに、底壁部１００Ｂは、左右方向において回路基板５４から離間する程低くなるように傾斜している。
【００８９】
後壁３４には、第１排出孔１１０が下向きに貫通するように形成されている。底壁部１００Ｂの左端側の最も低い箇所１００Ｃの近傍と後面３２Ｃとを連通している。図２及び図７（ｂ）に示すように、後面３２Ｃの第１排出孔１１０が開口する箇所は、局所的に前側に凹むことで、下向きの面が形成されている。このため、第１排出孔１１０が筐体３０の後側から視認し難くなっている。図２及び図４に示すように、第１排出孔１１０は、回路基板５４より左右方向の外側、より詳しくは、回路基板５４の左端縁５４Ｌより左側に位置している。図４に示すように、第１排出孔１１０は、収容室３２Ｍの後側に位置している。
【００９０】
＜作用効果＞
実施例１の画像読取装置１では、図５に示すように、溝部１００が筐体３０内における回路基板５４の上側に設けられている。溝部１００は、後壁３４の前側を向く面と、底壁部１００Ｂの上側を向く面と、溝壁１００Ａの後側を向く面とによって、上方が開放された溝状に形成されている。そして、溝部１００は、筐体３０とトレイ３６との間の隙間Ｓ１に下側から対向しつつ左右方向に延びている。これにより、この画像読取装置１では、トレイ３６が開放位置にある状態で、トレイ３６の保持面３６Ｈに垂れた液体が筐体３０とトレイ３６との間の隙間Ｓ１から筐体３０内に進入しても、その進入した液体を溝部１００内に溜めることができる。
【００９１】
また、溝部１００の底壁部１００Ｂは、図４及び図７に示すように、左右方向において回路基板５４から離間する程低くなるように傾斜している。図７に示す底壁部１００Ｂの最も低い箇所１００Ｃは、図４に示す回路基板５４の左端縁５４Ｌより左側に離間している。そして、後壁３４に形成された第１排出孔１１０は、溝部１００の左端側である最も低い箇所１００Ｃの近傍と後面３２Ｃとを連通している。これにより、この画像読取装置１では、溝部１００内に溜まる液体を回路基板５４から遠ざけ、さらに第１排出孔１１０を経由して筐体３０の外部に排出できる。
【００９２】
また、図５に示すように、第３壁３６３には、トレイ３６が開放位置にある場合に、案内室３６２Ａと溝部１００の上側とを連通する第２排出孔３６３Ｈが形成されている。これにより、この画像読取装置１では、トレイ３６の保持面３６Ｈに垂れた液体がレール穴３６１Ｈから基部３６Ａの内部の案内室３６２Ａに進入しても、その進入した液体を第２排出孔３６３Ｈから溝部１００内に排出することができる。
【００９３】
したがって、実施例１の画像読取装置１では、トレイ３６の保持面３６Ｈに垂れた液体が回路基板５４に到達する可能性を低減できる。ひいては、回路基板５４にショート等の不具合が発生し難い。
【００９４】
また、この画像読取装置１では、基部３６Ａの開閉軸心Ｘ３６Ａは、図６に示すように、溝部１００の上側に位置している。これにより、この画像読取装置１では、トレイ３６が閉鎖位置にある状態で、基部３６Ａの第３壁３６３が溝部１００の上側に位置し、第２排出孔３６３Ｈが案内室３６２Ａと溝部１００の上側とを連通する。このため、開放位置にあるトレイ３６の基部３６Ａ等に液体が垂れた後、その液体が基部３６Ａの案内室３６２Ａ内に残った状態でトレイ３６が閉鎖位置に変位しても、その液体を溝部１００内に溜めることができる。
【００９５】
また、この画像読取装置１では、溝部１００が後壁３４に一体成形されているので、筐体３０に後壁３４を組み付けることにより、同時に筐体３０に溝部１００を設けることができる。その結果、この画像読取装置１では、組み付け作業の簡素化を実現できる。
【００９６】
また、この画像読取装置１では、図８（ｂ）に示すように、第１排出孔１１０は、下向きに貫通するように後壁３４に形成されている。これにより、この画像読取装置１では、仮に第１排出孔１１０が横向きに貫通するように後壁３４に形成されている場合と比較して、溝部１００内に溜まった液体を確実に排出できるとともに、第１排出孔１１０が目立たなくって筐体３０の外観品位が向上する。
【００９７】
また、この画像読取装置１では、図２及び図４に示すように、回路基板５４の左端縁５４Ｌより左側で開口する第１排出孔１１０により、溝部１００内に溜まる液体を回路基板５４から確実に隔離した状態で筐体３０の外部に排出できる。
【００９８】
さらに、この画像読取装置１では、図４に示すように、第２筐体３２内に収容室３２Ｍが形成されたことによって第２筐体３２の後面３２Ｃ近傍に空いたスペースを利用して、第１排出孔１１０を設けているので、大型化を抑制できる。
【００９９】
また、この画像読取装置１では、図５〜図７に示すように、溝部１００は、第２導入口１２の上側に位置している。これにより、この画像読取装置１では、トレイ３６の保持面３６Ｈに垂れた液体が筐体３０とトレイ３６との間の隙間Ｓ１から筐体３０内に進入しても、溝部１００により、その進入した液体が第２導入口１２の近傍に到達する可能性を低減できる。
【０１００】
さらに、この画像読取装置１では、図５及び図６に示すように、溝部１００がコネクタ５９Ａ、５９Ｂ、５９Ｃの上側に位置している。これにより、この画像読取装置１では、トレイ３６の保持面３６Ｈに垂れた液体が筐体３０とトレイ３６との間の隙間Ｓ１から筐体３０内に進入しても、溝部１００により、その進入した液体がコネクタ５９Ａ、５９Ｂ、５９Ｃに到達する可能性を低減できる。
【０１０１】
（実施例２）
図１０に示すように、実施例２の画像読取装置では、実施例１の画像読取装置１における溝部１００の代わりに、溝部２００を採用している。実施例２のその他の構成は、実施例１と同様である。このため、実施例１と同一の構成については同一の符号を付して説明を省略又は簡略する。
【０１０２】
溝部２００は、後壁３４とは別体で設けられている。より詳しくは、溝部２００は、実施例１の溝部１００における底壁部１００Ｂ及び溝壁１００Ａを後壁３４から切り離し、底壁部１００Ｂの後端縁に溝壁１００Ａと対向する溝壁２００Ａを追加している。
【０１０３】
溝部２００は、底壁部１００Ｂにおける第１排出孔１１０が形成されていた箇所に、第１排出孔１１０の代わりに、排出部２１０を有している。排出部２１０は、底壁部１００Ｂの最も低い箇所から管状をなして下方に延び、後壁３４を貫通して後面３２Ｃに開口している。
【０１０４】
このような構成である実施例２の画像読取装置も、実施例１の画像読取装置１と同様に、トレイ３６の保持面３６Ｈに垂れた液体が回路基板５４に到達する可能性を低減できる。ひいては、回路基板５４にショート等の不具合が発生し難い。
【０１０５】
以上において、本発明を実施例１、２に即して説明したが、本発明は上記実施例１、２に制限されるものではなく、その趣旨を逸脱しない範囲で適宜変更して適用できることはいうまでもない。
【０１０６】
例えば、トレイは、筐体にスライド可能に支持されて、開放位置と閉鎖位置とに変位してもよい。
【符号の説明】
【０１０７】
１…画像読取装置（媒体搬送装置）、３０…筐体、３６…トレイ、３６Ｈ…保持面
ＳＨ、ＣＡ…媒体（ＳＨ…シート、ＣＡ…カード）、５５…読取部（処理部）
４０…搬送部、３０Ｂ…筐体の底面、５４…回路基板、Ｘ３６Ａ…開閉軸心
Ｓ１…筐体とトレイとの間の隙間、１００、２００…溝部、３４…側壁（後壁）
１１０…第１排出孔、２１０…排出部、４０Ｍ…駆動源、３２Ｍ…収容室
３６１…第１壁、３６２…第２壁、３６３…第３壁、３６２Ａ…案内室
３６１Ｈ…レール穴、３６Ｇ…規制部、３６３Ｈ…第２排出孔
１２…導入口（第２導入口）、５９Ａ、５９Ｂ、５９Ｃ…コネクタ
【図１】
2015048163.tif 000003
【図２】
2015048163.tif 000004
【図３】
2015048163.tif 000005
【図４】
2015048163.tif 000006
【図５】
2015048163.tif 000007
【図６】
2015048163.tif 000008
【図７】
2015048163.tif 000009
【図８】
2015048163.tif 000010
【図９】
2015048163.tif 000011